【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
高周波信号を出力する電圧制御発振器と、
出力された前記高周波信号を分周した第１の分周信号を生成する第１の注入同期型分周器と、
前記第１の分周信号を分周した第２の分周信号を生成する第２の注入同期型分周器と、
前記第２の分周信号を分周した第３の分周信号を生成する分周器と、
前記第３の分周信号と基準信号とを比較し、位相と周波数の誤差を出力する位相周波数比較器と、
出力された前記誤差を電流又は電圧に変換するチャージポンプと、
変換された前記電流又は電圧に応じて前記電圧制御発振器の制御電圧を生成し、生成された前記制御電圧を前記電圧制御発振器に印加するループフィルタと、
前記電圧制御発振器の発振周波数を定める発振バンドを選択し、前記第１の注入同期型分周器及び前記第２の注入同期型分周器を異なる各動作帯域において動作させる、前記第１の注入同期型分周器の第１の制御パラメータ及び前記第２の注入同期型分周器の第２の制御パラメータを調整するキャリブレーション回路と、を備え、
前記キャリブレーション回路は、
前記第２の制御パラメータを調整した後に、前記第１の制御パラメータを調整し、更に、前記第３の分周信号に応じて前記電圧制御発振器の発振バンドを調整する、
ＰＬＬ回路。
【請求項２】
請求項１に記載のＰＬＬ回路であって、
前記キャリブレーション回路は、
前記高周波信号の分周に用い、かつ、温度変動に対応した、前記第１の制御パラメータを生成する第１のバイアス生成回路、を更に有する、
ＰＬＬ回路。
【請求項３】
請求項１に記載のＰＬＬ回路であって、
前記キャリブレーション回路は、前記第３の分周信号と前記基準信号との各周波数を測定するクロックカウンタと、
前記高周波信号の分周に用い、温度変動に対応し、かつ、前記測定された第３の分周信号の周波数の調整に用いる前記第１の制御パラメータを生成する第１のバイアス生成回路、
を更に有する、
ＰＬＬ回路。
【請求項４】
請求項１に記載のＰＬＬ回路であって、
前記キャリブレーション回路は、
前記第２の制御パラメータとして、前記第１の分周信号の分周に用いる制御パラメータを生成する第２のバイアス生成回路と、
前記第２の制御パラメータとして、温度変動に対応して、前記第１の分周信号の分周に用いる制御パラメータを生成する第３のバイアス生成回路と、
前記第２のバイアス生成回路による第２の制御パラメータ又は前記第３のバイアス生成回路による第２の制御パラメータを選択するバイアス選択回路と、を更に有する、
ＰＬＬ回路。
【請求項５】
請求項１に記載のＰＬＬ回路であって、
前記キャリブレーション回路は、
前記第２の制御パラメータに応じて、前記第３の分周信号と前記基準信号との各周波数を測定するクロックカウンタと、
前記第２の制御パラメータとして、前記第１の分周信号の分周に用い、かつ、前記測定された第３の分周信号の周波数の調整に用いる制御パラメータを生成する第２のバイアス生成回路と、
前記第２の制御パラメータとして、温度変動に対応して、前記第１の分周信号の分周に用い、かつ、前記測定された第３の分周信号の周波数の調整に用いる制御パラメータを生成する第３のバイアス生成回路と、
前記第２のバイアス生成回路による第２の制御パラメータ又は前記第３のバイアス生成回路による第２の制御パラメータを選択するバイアス選択回路と、を更に有する、
ＰＬＬ回路。
【請求項６】
請求項３又は４に記載のＰＬＬ回路であって、
前記キャリブレーション回路は、
前記第１の制御パラメータの設定値として、温度変動に対応して生成された前記第１の制御パラメータの初期値と、調整後の前記第２の制御パラメータと調整前の前記第２の制御パラメータとの差分と一定係数との乗算値と、一定定数との加算結果を用いる、
ＰＬＬ回路。
【請求項７】
請求項１〜６のうちいずれか一項に記載のＰＬＬ回路であって、
前記キャリブレーション回路は、
前記電圧制御発振器の動作を制御するＶＣＯ制御部と、
前記第１の注入同期型分周器及び前記第２の注入同期型分周器の各動作を制御するＩＬＦＤ制御部と、を更に有し、
前記ＶＣＯ制御部は、
前記ＩＬＦＤ制御部が前記第１の制御パラメータ及び前記第２の制御パラメータを調整する場合に、前記電圧制御発振器を停止する、
ＰＬＬ回路。
【請求項８】
請求項７に記載のＰＬＬ回路であって、
前記ＶＣＯ制御部は、
前記第１の制御パラメータの調整後に、前記電圧制御発振器の停止を解除し、前記電圧制御発振器の発振周波数を定める前記発振バンドを選択する、
ＰＬＬ回路。
【請求項９】
請求項７に記載のＰＬＬ回路であって、
前記ＶＣＯ制御部は、
選択された前記発振バンドに応じて前記電圧制御発振器からの前記高周波信号が前記第１の注入同期型分周器、前記第２の注入同期型分周器及び前記分周器によって分周された分周信号と前記基準信号との各周波数差分に応じて、前記電圧制御発振器の他の前記発振バンドを選択する、
ＰＬＬ回路。
【請求項１０】
第１の注入同期型分周器と第２の注入同期型分周器とを接続したＰＬＬ回路におけるキャリブレーション方法であって、
高周波信号を出力する電圧制御発振器及び前記第１の注入同期型分周器の各動作を停止するステップと、
前記第２の注入同期型分周器の第２の制御パラメータに応じて、前記第２の注入同期型分周器の出力信号を分周する分周器が出力する分周信号と基準信号との各周波数を測定するステップと、
測定された前記分周信号の周波数を基に、前記第２の制御パラメータを調整するステップと、
前記第１の注入同期型分周器の停止を解除するステップと、
前記第１の注入同期型分周器の第１の制御パラメータに応じて、前記第１の注入同期型分周器の出力信号を前記第２の注入同期型分周器が分周し、前記第２の注入同期型分周器の出力信号を分周する前記分周器により再度出力された分周信号の周波数を測定するステップと、
測定後の前記再度出力された分周信号の周波数を基に、前記第１の制御パラメータを調整するステップと、
前記電圧制御発振器の停止を解除するステップと、
前記電圧制御発振器の発振周波数を定める発振バンドを選択するステップと、
選択された前記発振バンドに応じて前記電圧制御発振器の出力信号が前記第１の注入同期型分周器、前記第２の注入同期型分周器及び前記分周器によって分周された分周信号の周波数を基に、前記電圧制御発振器の前記発振バンドを選択するステップと、を有する、
キャリブレーション方法。
【請求項１１】
請求項１〜９のうちいずれか一項に記載のＰＬＬ回路と、
ベースバンドの送信信号を変調する変調部と、
前記ＰＬＬ回路が生成した第１局部信号と変調された前記送信信号とを用いて、高周波送信信号を生成する送信ミキサと、
前記ＰＬＬ回路が生成した第２局部信号と受信された高周波受信信号とを用いて、ベースバンドの受信信号を生成する受信ミキサと、
生成された前記ベースバンドの受信信号を復調する復調部と、を備える、
無線通信装置。
【手続補正２】
【補正対象書類名】明細書
【補正対象項目名】０００９
【補正方法】変更
【補正の内容】
【０００９】
本開示は、高周波信号を出力する電圧制御発振器と、出力された前記高周波信号を分周した第１の分周信号を生成する第１の注入同期型分周器と、前記第１の分周信号を分周した第２の分周信号を生成する第２の注入同期型分周器と、前記第２の分周信号を分周した第３の分周信号を生成する分周器と、前記第３の分周信号と基準信号とを比較し、位相と周波数の誤差を出力する位相周波数比較器と、出力された前記誤差を電流又は電圧に変換するチャージポンプと、変換された前記電流又は電圧に応じて前記電圧制御発振器の制御電圧を生成し、生成された前記制御電圧を前記電圧制御発振器に印加するループフィルタと、前記電圧制御発振器の発振周波数を定める発振バンドを選択し、前記第１の注入同期型分周器及び前記第２の注入同期型分周器を異なる各動作帯域において動作させる、前記第１の注入同期型分周器の第１の制御パラメータ及び前記第２の注入同期型分周器の第２の制御パラメータを調整するキャリブレーション回路と、を備え、前記キャリブレーション回路は、前記第２の制御パラメータを調整した後に、前記第１の制御パラメータを調整し、更に、前記第３の分周信号に応じて前記電圧制御発振器の発振バンドを調整する、ＰＬＬ回路である。
【手続補正３】
【補正対象書類名】明細書
【補正対象項目名】００１０
【補正方法】変更
【補正の内容】
【００１０】
また、本開示は、第１の注入同期型分周器と第２の注入同期型分周器とを接続したＰＬＬ回路におけるキャリブレーション方法であって、高周波信号を出力する電圧制御発振器及び前記第１の注入同期型分周器の各動作を停止するステップと、前記第２の注入同期型分周器の第２の制御パラメータに応じて、前記第２の注入同期型分周器の出力信号を分周する分周器が出力する分周信号と基準信号との各周波数を測定するステップと、測定された前記分周信号の周波数を基に、前記第２の制御パラメータを調整するステップと、前記第１の注入同期型分周器の停止を解除するステップと、前記第１の注入同期型分周器の第１の制御パラメータに応じて、前記第１の注入同期型分周器の出力信号を前記第２の注入同期型分周器が分周し、前記第２の注入同期型分周器の出力信号を分周する前記分周器により再度出力された分周信号の周波数を測定するステップと、測定後の前記再度出力された分周信号の周波数を基に、前記第１の制御パラメータを調整するステップと、前記電圧制御発振器の停止を解除するステップと、前記電圧制御発振器の発振周波数を定める発振バンドを選択するステップと、選択された前記発振バンドに応じて前記電圧制御発振器の出力信号が前記第１の注入同期型分周器、前記第２の注入同期型分周器及び前記分周器によって分周された分周信号の周波数を基に、前記電圧制御発振器の前記発振バンドを選択するステップと、を有する、キャリブレーション方法である。